(57)【要約】【課題】支柱１１間に壁面材を掛け渡す構造の擁壁構造で、支柱として単なる鋼材を用いかつその支柱１１を分割式とする場合に、分割した支柱部材１５を連結する構造が簡単で、かつ、支柱部材１５どうしを堅固に連結することができ、さらにアンカー１６の頭部の支柱への固定構造が適切な擁壁構造を提供する。【解決手段】各支柱１１を、鋼製パイプからなる支柱部材１５を複数本上下に連結して構成するとともに、壁面の固い岩盤に先端を埋め込んだアンカー１６の頭部を前記支柱の連結部１７に固定する。連結部１７における下段側支柱部材１５Ａと上段側支柱部材１５Ｂとは、両者に嵌合するインナースリーブ１８及び支柱連結ボルト２５により連結される。アンカー１６の頭部は支柱１１に支柱内部で固定される。【選択図】図３
2010053631.tif 000002
【特許請求の範囲】
【請求項１】
垂直または急勾配の壁面の前面に間隔をあけて複数の支柱を設置し、隣接する支柱間に壁面材を掛け渡し、前記壁面材及び支柱と壁面との間に裏込め材を裏込めしてなる擁壁構造であって、
各支柱は、鋼製パイプからなる支柱部材を複数本、直接又は別部材を介在させて上下に連結してなるとともに、前記支柱部材の連結部のうちの少なくとも一部の連結部について、壁面内部の固い岩盤に先端を埋め込んだアンカーの頭部を支柱部材の連結部に固定したことを特徴とする擁壁構造。
【請求項２】
支柱の上端部に頭部を固定されたアンカーも備えていることを特徴とする請求項１記載の擁壁構造。
【請求項３】
支柱を構成する支柱部材が角パイプであることを特徴とする請求項１又は２記載の擁壁構造。
【請求項４】
前記支柱の連結部は、インナースリーブを下段側支柱部材と上段側支柱部材との両者に嵌合させ、インナースリーブと下段側支柱部材又は上段側支柱部材とを、壁面幅方向に貫通する支柱連結ボルトにより固定した構成であることを特徴とする請求項１〜３のいずれかに記載の擁壁構造。
【請求項５】
下段側支柱部材と上段側支柱部材とは、下段側支柱部材の背面側の上端部が上向き凸となる段差部と上段側支柱部材の前面側の下端部が下向き凸となる段差部とが互いに噛み合う段継ぎ状に繋がっており、下段側支柱部材の背面側の上端部に縦のスリット部を有し、前記インナースリーブの前面側の高さ方向中間部に開口部、背面側の下部に縦のスリット部を有し、前記アンカーの頭部が、前記下段側支柱部材の背面側の上端部のスリット部、及びインナースリーブの背面側の下部のスリット部を通して支柱内部に挿入され、かつ、支柱内部において固定されていることを特徴とする請求項４記載の擁壁構造。
【請求項６】
支柱の背面と壁面との間隔を調整する間隔調整部材を、支柱の背面側におけるアンカー頭部の高さ位置で、一方を支柱に固定し、他方を壁面に当接してなることを特徴とする請求項１〜５のいずれかに記載の擁壁構造。
【請求項７】
支柱を構成する鋼製パイプの内部に充填材を充填したことを特徴とする請求項１〜６のいずれかに記載の擁壁構造。
【請求項８】
支柱の基礎部が、基礎アンカーと、前記基礎アンカーが貫通するアンカー貫通穴を中央部に有するベースプレートと、このベースプレートの傾きを調整する傾き調整手段と、前記ベースプレート上に溶接固定された基礎部用インナースリーブと、前記基礎部用インナースリーブに嵌合させた支柱の下端部を基礎部用インナースリーブに固定する壁面幅方向から貫通するボルトと、基礎アンカーとベースプレートとを結合する手段とを有することを特徴とする請求項１〜７のいずれかに記載の擁壁構造。
【請求項９】
ベースプレートを含む支柱下端部に打設された基礎コンクリートを有することを特徴とする請求項８記載の擁壁構造。
【請求項１０】
請求項１〜９のいずれかの擁壁構造を構築する際に支柱を設置する支柱設置方法であって、
支柱設置位置において、鋼製パイプからなる支柱部材を複数本、直接又は別部材を介在させて上下に連結して支柱を構成し、アンカーを壁面内部の固い岩盤に先端を埋め込み、前記支柱部材の連結部のうちの少なくとも一部の連結部について、壁面内部の固い岩盤に先端を埋め込んだアンカーの頭部を支柱部材の連結部に固定することを特徴とする擁壁構造の支柱設置方法。
【請求項１１】
請求項５の擁壁構造を構築する際に支柱を設置する支柱設置方法であって、
支柱を設置する作業として鋼製パイプからなる下段側支柱部材と上段側支柱部材とを連結する際に、下段側支柱部材の背面側の上端部のスリット部に、予め壁面に埋め込んだアンカーの頭部を挿通させ、
次いで、インナースリーブを、その背面側の下端部のスリット部にアンカーの頭部が挿通する態様にて下段側支柱部材に挿入し、
次いで、壁面幅方向から下段側支柱部材及びインナースリーブを貫通させた支柱連結ボルトでインナースリーブを下段側支柱部材に固定し、
次いで、アンカー頭部用間隔材をインナースリーブの前面側の開口部から挿入してアンカー頭部に被せ、
次いで、アンカー用ナットをアンカー頭部に螺合させて締着し、
次いで、上段側支柱部材をインナースリーブに嵌め込むとともに下段側支柱部材の上に段継ぎ状態で重ね、
次いで、壁面幅方向から上段側支柱部材及びインナースリーブを貫通させた支柱連結ボルトで上段側支柱部材をインナースリーブに固定することを特徴とする擁壁構造の支柱設置方法。
【請求項１２】
支柱を構成した鋼製パイプの内部に充填材を充填することを特徴とする請求項１０又は１１に記載の擁壁構造の支柱設置方法。
【発明の詳細な説明】
【技術分野】
【０００１】
この発明は、壁面の崩壊を防ぐ擁壁構造、特に、壁面地盤が、固い岩盤の上に柔らかい表層地盤を殆ど有さない地盤である場合に適用して好適な擁壁構造に関し、及び、その擁壁構造を構築する際に支柱を設置する支柱設置方法に関する。
【背景技術】
【０００２】
壁面の崩壊を防ぐ擁壁構造として、コンクリート製の擁壁構造が広く採用されている。コンクリート製の擁壁構造には、現地で型枠を組んでコンクリートを打設する施工法と、予め工場で製作したコンクリート擁壁部材を現地に搬入して組み立てる施工法とがある。前者の施工法では作業が繁雑で、工期も長くかかり、型枠工等の技能工を必要とする欠点があり、後者の施工法では、コンクリート擁壁部材の重量が大なので、これを現地に搬入するのが容易でなく、また施工時に大型の重機を必要とする欠点がある。
【０００３】
上記のようなコンクリート擁壁構造の欠点を解消するものとして、複数の円弧状のライナープレートからなる円筒状柱材を壁面幅方向に間隔をあけて設置し、隣接する円筒状柱材間にエキスパンドメタル等による壁面材を掛け渡し、円筒状柱材内にコンクリートを打設して支柱としての円柱体を構成し、次いで、前記壁面材及び円柱体と壁面との間の隙間に土砂を裏込めしてなる擁壁構造がある（特許文献１）。
【０００４】
上記特許文献１の擁壁構造は、コンクリート製の擁壁構造の現地打設方式と比べると、作業が簡単で、工期も短く済み、型枠工等の技能工を必要としない長所があり、また、工場製作のコンクリート擁壁部材を用いる方式と比べると、部材搬入に困難さなく、また施工時に小型の重機（主として小型の油圧ショベル等）で済む長所がある。
【０００５】
しかし、壁面地盤が、固い岩盤の上に柔らかい表層地盤を殆ど有さない地盤である場合、上記のようなコンクリートを充填した円柱体とするまでもなく、単なる鋼材を支柱とすることも可能である。
例えば特許文献２の発明は、壁面地盤の性状に応じて、適切な擁壁構造を選定するというものであるが、壁面地盤が、固い岩盤の上に柔らかい表層地盤を殆ど有さない地盤である場合の擁壁構造の支柱としてＨ形鋼を用いている(特許文献２の図１６、図１７（イ）、段落番号[００３８]、[００３９]、[００４３]）。この特許文献２の図１６の実施例における支柱は、壁面高さに対応する１本のＨ形鋼で支柱を構成している。
【０００６】
特許文献３は、柱のないＰＣ（プレストレストコンクリート）矢板を用いた擁壁構造で、本発明とは構造が異なるが、アンカーの頭部を、ＰＣ矢板と一体化したＰＣ横桁に固定した構造で、アンカー頭部が矢板に隠れている。
【特許文献１】特開２０００−９６５８４「鋼製土留め擁壁」
【特許文献２】特開２００８−２５３１６「土留め擁壁構造の選定方法、土留め用壁の構築方法、及び土留め擁壁」
【特許文献３】特開２００５−１１３４４６「落石防護機能を備えた擁壁及び道路形成方法」
【発明の開示】
【発明が解決しようとする課題】
【０００７】
ところで、擁壁構造の高さは施工しようとする壁面毎に様々であり、種々の現場の壁面に容易に対応できることが望まれる。そのためには、支柱を複数の支柱部材に分割し、施工すべき擁壁高さに応じて支柱部材を連結して支柱を構成することが適切である。
しかし、特許文献２の前記擁壁構造では、１本のＨ形鋼を支柱として用いているので、施工現場毎に所定の長さに切断した支柱を用意する必要があり、種々の擁壁高さへの対応性に欠ける。
また、アンカーの頭部は支柱に固定することになるが、アンカーの頭部の支柱への固定構造も適切であることが望まれる。
【０００８】
本発明は上記背景のもとになされたもので、支柱間に壁面材を掛け渡す構造の擁壁構造で、支柱として単なる鋼材を用いかつその支柱を分割式とする場合に、分割した支柱部材を連結する構造が極力簡単であり、支柱部材どうしを堅固に連結することができ、さらにアンカーの頭部の支柱への固定構造が適切な擁壁構造、及び擁壁構造の支柱設置方法を提供することを目的とする。
【課題を解決するための手段】
【０００９】
上記課題を解決する請求項１の発明は、垂直または急勾配の壁面の前面に間隔をあけて複数の支柱を設置し、隣接する支柱間に壁面材を掛け渡し、前記壁面材及び支柱と壁面との間に裏込め材を裏込めしてなる擁壁構造であって、
各支柱は、鋼製パイプからなる支柱部材を複数本、直接又は別部材を介在させて上下に連結してなるとともに、前記支柱部材の連結部のうちの少なくとも一部の連結部について、壁面内部の固い岩盤に先端を埋め込んだアンカーの頭部を支柱部材の連結部に固定したことを特徴とする擁壁構造。
【００１０】
請求項２は、請求項１の擁壁構造において、支柱の上端部に頭部を固定されたアンカーも備えていることを特徴とする。
【００１１】
請求項３は、請求項１又は２の擁壁構造において、支柱を構成する支柱部材が角パイプであることを特徴とする。
【００１２】
請求項４は、請求項１〜３のいずれかの擁壁構造において、前記支柱の連結部は、インナースリーブを下段側支柱部材と上段側支柱部材との両者に嵌合させ、インナースリーブと下段側支柱部材又は上段側支柱部材とを、壁面幅方向に貫通する支柱連結ボルトにより固定した構成であることを特徴とする。
【００１３】
請求項５は、請求項４の擁壁構造において、下段側支柱部材と上段側支柱部材とは、下段側支柱部材の背面側の上端部が上向き凸となる段差部と上段側支柱部材の前面側の下端部が下向き凸となる段差部とが互いに噛み合う段継ぎ状に繋がっており、下段側支柱部材の背面側の上端部に縦のスリット部を有し、前記インナースリーブの前面側の高さ方向中間部に開口部、背面側の下部に縦のスリット部を有し、前記アンカーの頭部が、前記下段側支柱部材の背面側の上端部のスリット部、及びインナースリーブの背面側の下部のスリット部を通して支柱内部に挿入され、かつ、支柱内部において固定されていることを特徴とする。
【００１４】
請求項６は、請求項１〜５のいずれかの擁壁構造において、支柱の背面と壁面との間隔を調整する間隔調整部材を、支柱の背面側におけるアンカー頭部の高さ位置で、一方を支柱に固定し、他方を壁面に当接してなることを特徴とする。
【００１５】
請求項７は、請求項１〜６のいずれかの擁壁構造において、支柱を構成する鋼製パイプの内部に充填材を充填したことを特徴とする。
【００１６】
請求項８は、請求項１〜７のいずれかの擁壁構造において、支柱の基礎部が、基礎アンカーと、前記基礎アンカーが貫通するアンカー貫通穴を中央部に有するベースプレートと、このベースプレートの傾きを調整する傾き調整手段と、前記ベースプレート上に溶接固定された基礎部用インナースリーブと、前記基礎部用インナースリーブに嵌合させた支柱の下端部を基礎部用インナースリーブに固定する壁面幅方向から貫通するボルトと、基礎アンカーとベースプレートとを結合する手段とを有することを特徴とする。
【００１７】
請求項９は、請求項８の擁壁構造において、支柱の基礎部が、ベースプレートを含む支柱下端部に打設された基礎コンクリートを有することを特徴とする。
【００１８】
請求項１０は、請求項１〜９のいずれかの擁壁構造を構築する際に支柱を設置する支柱設置方法であって、
支柱設置位置において、鋼製パイプからなる支柱部材を複数本、直接又は別部材を介在させて上下に連結して支柱を構成し、アンカーを壁面内部の固い岩盤に先端を埋め込み、前記支柱部材の連結部のうちの少なくとも一部の連結部について、壁面内部の固い岩盤に先端を埋め込んだアンカーの頭部を支柱部材の連結部に固定することを特徴とする。
【００１９】
請求項１１は、請求項５の擁壁構造を構築する際に支柱を設置する支柱設置方法であって、
支柱を設置する作業として鋼製パイプからなる下段側支柱部材と上段側支柱部材とを連結する際に、下段側支柱部材の背面側の上端部のスリット部に、予め壁面に埋め込んだアンカーの頭部を挿通させ、
次いで、インナースリーブを、その背面側の下端部のスリット部にアンカーの頭部が挿通する態様にて下段側支柱部材に挿入し、
次いで、壁面幅方向から下段側支柱部材及びインナースリーブを貫通させた支柱連結ボルトでインナースリーブを下段側支柱部材に固定し、
次いで、アンカー頭部用間隔材をインナースリーブの前面側の開口部から挿入してアンカー頭部に被せ、
次いで、アンカー用ナットをアンカー頭部に螺合させて締着し、
次いで、上段側支柱部材をインナースリーブに嵌め込むとともに下段側支柱部材の上に段継ぎ状態で重ね、
次いで、壁面幅方向から上段側支柱部材及びインナースリーブを貫通させた支柱連結ボルトで上段側支柱部材をインナースリーブに固定することを特徴とする。
【００２０】
請求項１２は、請求項１０又は１１の擁壁構造の支柱設置方法において、支柱を構成した鋼製パイプの内部に充填材を充填することを特徴とする。
【発明の効果】
【００２１】
本発明によれば、複数本の鋼製パイプ（支柱部材）を連結して支柱を構成するので、例えば長さ１ｍ等の標準長さの鋼製パイプを用意しておき、また必要に応じて異なる長さのものも若干用意しておくことで、任意の現場壁面に適した擁壁高さの擁壁構造を施工することができる。
支柱を構成する支柱部材が鋼製パイプであるから、例えば請求項４のようにインナースリーブ及び壁面幅方向に貫通させた支柱連結ボルトを介して下段側支柱部材と上段側支柱部材とを連結することができ、連結構造が簡単であり、連結作業も容易である。
これに対して、支柱部材にＨ形鋼を用いた場合、上下のＨ形鋼のフランジ前面及び背面において連結プレートを当てボルトで固定する等して連結することが可能であるが、この構造では支柱の前面及び後面に突出部が生じるので、適切でない。
また、Ｈ形鋼のウエブの両側で連結する構造では、連結箇所が２箇所になるので複雑になり連結作業が煩雑である。
【００２２】
また、下段側支柱部材と上段側支柱部材とに嵌合させた筒状部材（インナースリーブ）を介して連結する構造であるから、十分に剛性の高い連結構造が実現される。
【００２３】
支柱が鋼製パイプであるから、Ｈ形鋼と異なり、アンカーを支柱の壁面幅方向中央に固定することができる。支柱がＨ形鋼の場合は、アンカーはフランジに固定することになるので、支柱の壁面幅方向に片寄った位置に連結されることになり、支柱に回転モーメントが作用するアンカーの取付構造となり適切でないが、鋼製パイプの場合にはそのような問題はない。
【００２４】
請求項５の構造によれば、下段側支柱部材と上段側支柱部材とが段継ぎ状に連結される構造なので、この点でも堅固な連結構造となる。
また、アンカーが下段側支柱部材と上段側支柱部材との連結部に固定されるので、アンカー頭部を支柱中間部（連結部でない箇所）に連結する場合と比較して、強度的に有利である。
また、アンカー頭部が鋼製パイプの内部に納まる構造となっており、外観として好ましい。
さらに、アンカー頭部を鋼製パイプの内部に固定する際にインナースリーブの開口部から作業をすることができ、そして、その開口部は上段側支柱部材の前面管壁で覆われるので露出せず、良好な外観を確保できる。
【００２５】
請求項６のように間隔調整部材を支柱連結部に設けると、上下の鋼製パイプの連結作業及び間隔調整部材取り付け作業を行う作業箇所が１箇所に纏められることになるので、作業性が良好である。
【００２６】
請求項７あるいは請求項１２のように、支柱を構成する鋼製パイプの内部に充填材を充填すると、充填材により、鋼製パイプを貫通するアンカー頭部を鋼製パイプに堅固に固定できるという効果が得られ、かつ、アンカー頭部の防錆効果が得られる。また、支柱全体の強度向上が図られる。
【００２７】
請求項８の構成によれば、支柱下端部がインナースリーブを介してベースプレートに堅固に固定されるとともに、支柱の傾き調整を行う構成として適切である。
なお、ベースプレートを設置する地盤が固い岩盤であれば、支柱下端部に基礎コンクリートを設けないことも可能である。
基礎コンクリートを設ける場合、請求項９のようにベースプレートを含む支柱下端部を基礎コンクリートに埋め込むようにすると、支柱下端部の防錆の点で適切であり、また、外観的にも良好になる。
【００２８】
請求項１１の擁壁構造の支柱設置方法によれば、アンカー頭部が鋼製パイプの内部に収まり、かつインナースリーブの開口部が上段側支柱部材の前面管壁で覆われて露出しない良好な外観とすることを実現できる。
【発明を実施するための最良の形態】
【００２９】
以下、本発明の擁壁構造の実施例を、図１〜図２０参照して説明する。
【実施例１】
【００３０】
本発明の擁壁構造は、図１、図１９に示すように、法面地盤２０が、固い岩盤の上に柔らかい表層地盤を殆ど有さない地盤である場合に適用して好適な擁壁構造であり、図２０に示すように、構築すべき壁面の幅方向（図２０で左右方向）に間隔をあけて複数の支柱１１を設置し、隣接する支柱１１間に壁面材１２を掛け渡し、前記壁面材１２と壁面との間に土砂などの裏込め材１４を裏込めしてなる擁壁構造１０である。
本発明において支柱１１は、鋼製パイプからなる支柱部材１５を複数本連結して構成するが、支柱部材１５として実施例では図示のように角パイプを用いている。以下、支柱部材１５を場合により鋼製パイプ１５と呼ぶ。
この実施例では、支柱１１の左右両側に壁面材１２を取り付けるためのアングル材２３を溶接固定している。
【００３１】
図１は上記擁壁構造１０における支柱１１を設置した段階の側面図、図２は図１の支柱設置完了状態に到る途中段階を示す拡大図、図３は図２における支柱の連結部の部分切欠き拡大図、図４は図３のＡ矢視図、図５は図３のＢ矢視図、図６は連結部の要部の分解斜視図である。
これらの図に示すように、この擁壁構造１０の支柱１１は、複数本の鋼製パイプ１５を上下に連結して構成している。支柱１１の連結部（上下の鋼製パイプ１５の連結部）を１７で示す。そして、壁面の固い岩盤に先端を埋め込んだアンカー１６の頭部を前記支柱１１の連結部１７に固定している。アンカー１６はロックボルトを用いている。
前記の通り、実施例では鋼製パイプ１５として角パイプを用いている。実施例の鋼製パイプ１５のサイズは□２００ｍｍ×２００ｍｍ×６ｍｍで、長さ１ｍである。図示例の支柱１１は３本の鋼製パイプ１５を連結しているが、連結本数は構築しようとする擁壁構造の高さに応じて適宜、設定する。一部の鋼製パイプの長さを他と変えることもある。
図１において、支柱１１の基礎部を２１で示す。２２は基礎アンカーである。支柱１１を設置する場合、最下段の鋼製パイプ１５の下端部を基礎に取り付けてから鋼製パイプを連結していき、所定の支柱１１とした後、支柱１１の基礎部２１を施工する。
【００３２】
図６にも示すように、支柱１１の連結部１７における下段側支柱部材１５（図３〜図６では１５（Ａ）で示す）は、背面側（図１〜図３で右側）の上端部が上向き凸となる段差状になっており、上段側支柱部材１５（図３〜図６では１５（Ｂ）で示す）は、前面側（図１〜図３で左側）の下端部が下向き凸となる段差状になっており、下段側支柱部材１５の段差部１５ａと上段側支柱部材１５側の段差部１５ｂとが互いに噛み合う段継ぎ状に接続している。
下段側支柱部材１５Ａの背面側の上端部に、後述するようにアンカー１６の頭部が挿通する縦のスリット部１５ｃを有している。
各鋼製パイプ１５の左右両面のそれぞれ前後方向中央位置にアングル材２３を溶接固定している。
支柱１１の連結部１７は、鋼製パイプ１５より若干小径の短尺角パイプであるインナースリーブ１８を下段側支柱部材１５Ａと上段側支柱部材Ｂとの両者に嵌合させ、インナースリーブ１８と下段側支柱部材１５Ａ又は上段側支柱部材１５Ｂとを、壁面幅方向（図４、図５で左右方向）に貫通する支柱連結ボルト２５により固定している。具体的には、連結部１７を、ボルト挿通穴２４ａをあけた連結部用アングル材２４で壁面幅方向両側から挟み、支柱連結ボルト２５を、下段側支柱部材１５Ａ又は上段側支柱部材１５Ｂとインナースリーブ１８とにそれぞれあけたボルト挿通穴１５ｄ、１８ｄ、及び連結部用アングル材２４のボルト挿通穴２４ａに貫通させ、ナット２６を螺合させ締め付けて、固定している。
【００３３】
前記インナースリーブ１８は、その前面側の高さ方向中間部に開口部１８ａ、背面側の下部に縦のスリット部１８ｂを有している。
前記アンカー１６の頭部は、前記下段側支柱部材１５Ａの背面側の上端部のスリット部１５ｃ、及びインナースリーブ１８の背面側のスリット部１８ｂを通して支柱内部に挿入される。なお、アンカー１６の頭部には、防食のための保護管２９が被せており、この保護管２９も一緒に支柱内部に挿入されている。
連結部１７の背面には矩形の当てプレート３５が当てられている。アンカー１６及び保護管２９は、この当てプレート３５の中央にあけた長穴３５ａ及び下段側支柱１５Ａのスリット部１５ｃ、インナースリーブ１８のスリット部１８ｂを通って支柱内部に挿入されている。
支柱内部に挿入されたアンカー１６の頭部に、インナースリーブ１８の前面側の開口部１８ａから内部に入れたアンカー頭部用間隔材３０を被せ、アンカー頭部のネジ部にワッシャ３１を介在させアンカー用ナット３２を螺合させて締着している。
アンカー頭部用間隔材３０は、図６に示すように、アンカー挿通穴３０ｃの両側にボルト挿通穴３０ｄをあけたプレート部３０ａに筒部３０ｂを斜めに溶接固定した構成である。
また、連結部１７に、支柱１１の背面と壁面との間隔を調整するための間隔調整ボルト(間隔調整部材)３３を２本取り付けている。この間隔調整ボルト３３の軸部先端側は、前記当てプレート３５の前記長穴３５ａの両側にあけたボルト挿通穴３５ｂ（図６参照）、下段側支柱１５Ａのボルト挿通穴１５ｅ、インナースリーブ１８のボルト挿通穴１８ｅ、アンカー頭部用間隔材３０のプレート部３０ａのボルト挿通穴３０ｄを通して支柱内部に挿入され、それらの両側に螺合させたナット３７、３８（図３参照）を締着して支柱１１に固定されている。その締着に際して、間隔調整ボルト３３の頭部３３ａを壁面に当てるとともに間隔調整ボルト３３の軸部に対するナット３７、３８の締着位置を調整することで、支柱背面と壁面との間隔を調整する。
【００３４】
上記の支柱１１を設置する設置手順を図７〜図１３に示す。
図示例では、支柱１１を設置する前に、保護管２９を被せたアンカー１６を予め壁面地盤２０に埋め込んでおく。図１のように、この壁面地盤２０は固い岩盤が露出しているか、その上に柔らかい表層地層が殆どない壁面である。
図７は図１の支柱１１における２箇所の連結部１７のうちの下側の連結部１７の連結作業をはじめる段階である。図７〜図１３は下側の連結部１７の連結作業をする要領を示す。
予め、当てプレート３５の長穴３５ａをアンカー１６（保護管２９を含む）に通して、図示のように当てプレート３５をアンカー１６に掛けておく。
次いで、下段側支柱部材１５Ａの背面側の上端部のスリット部１５ｃにアンカー１６の頭部を挿通させる。
次いで、インナースリーブ１８を、その背面側の下端のスリット部１８ｂにアンカー１６が入るようにして、下段側支柱部材１５Ａに挿入する。
【００３５】
次いで、図８に示した連結部用アングル材２４で壁面幅方向の両側から下段側支柱１５Ａを挟みこみ、次いで、壁面幅方向から連結部用アングル材２４、下段側支柱部材１５Ａ及びインナースリーブ１８を貫通させた支柱連結ボルト２５及びナット２６でインナースリーブ１８を下段側支柱部材１５Ａに固定する。
【００３６】
次いで、図９に示すように、アンカー頭部用間隔材３０をインナースリーブ１８の前面側の開口部１８ａから挿入してアンカー１６の頭部に被せ、そして、このアンカー頭部用間隔材３０のプレート部３０ａと当てプレート３５とで、下段側支柱１５Ａの背面壁及びインナースリーブ１８を挟み込む。図９に示した間隔調整ボルト３３は、次の段階のために準備しておくことを示す。
【００３７】
次いで、図１０に示すように、間隔調整ボルト３３を取り付ける。具体的には、間隔調整ボルト３３の頭部３３ａを図３にも示すように壁面に当て、軸部先端部を、当てプレート３５のボルト挿通穴３５ｂ、下段側支柱１５Ａのボルト挿通穴１５ｅ、インナースリーブ１８のボルト挿通穴１８ｅ、アンカー頭部用間隔材３０のボルト挿通穴３０ｄに通して、支柱内部に挿入し、それらの両側に螺合させたナット３７、３８を締着して支柱に固定する。その際、締着するナット３７、３８の位置を調整することで、支柱背面と壁面との間隔を調整する。
次いで、アンカー用ナット３２を座金３１を介在させてアンカー頭部に螺合させ、締着すると、アンカー１６の頭部が支柱１１の連結部１７に支柱内部で固定される（図１１参照）。
【００３８】
次いで、図１１において、上段側支柱部材１５Ｂの背面側の上端部のスリット部１５ｃを上側のアンカー１６に嵌め込みながら、上段側支柱部材１５Ｂの下端部をインナースリーブ１８に被せて、上段側支柱部材１５Ｂを下段側支柱部材１５Ａの上に段継ぎ状態で重ねる（図１２の状態）。
【００３９】
次いで、図１２において、支柱連結ボルト２５を壁面幅方向から連結部用アングル材２４、上段側支柱部材１５Ｂ及びインナースリーブ１８を貫通させナット２６で締着して、上段側支柱部材１５Ｂをインナースリーブ１８に固定する。図１３は上段側支柱部材１５Ｂを下段側支柱１５Ａに連結する作業が完了した状態を示す。
【００４０】
上述の実施例の場合、図１３における上段側支柱部材１５Ｂの上に最上段の支柱部材１５を連結する（その連結部は図１で上側の連結部１７）。最上段の支柱部材１５の上端は図１に示す通り、段差状でなく平坦な端面である。
次いで、最上段のアンカー１６の頭部を最上段の支柱部材１５の上端部に固定する。
最上段のアンカー１６を支柱１に固定する要領については、上述の説明におけるアンカー１６の頭部を支柱１１の連結部１７に固定する手順において、上段側支柱部材１５Ｂ及びインナースリーブ１８がないと考えた要領で行うとよい。
【００４１】
上記のように鋼製パイプ１５を連結して支柱１１を構成する場合、最下段の鋼製パイプ１５の下端部を例えば仮の基礎に取り付けてから鋼製パイプ１５を連結していき、そして、所定の支柱１１とした後、支柱１１の最終的な基礎を施工するとよい。支柱１１の基礎部の詳細については、後述する。
以上により、１箇所における支柱１１の設置作業が完了する。
【００４２】
なお、図示は省略するが、支柱１１を構成する鋼製パイプ１５の内部にモルタルやコンクリートなどの充填材を充填することができる。
この場合、充填材により、鋼製パイプ１５の内部に挿入されたアンカー１６の頭部を鋼製パイプ１５に堅固に固定できるという効果が得られ、かつ、アンカー頭部の防錆効果が得られる。また、支柱全体の強度向上が図られる。
鋼製パイプ内に充填された充填材はアンカー頭部を鋼製パイプに固定する作用をするので、アンカー頭部の固定構造（アンカー頭部用間隔材３０、ワッシャ３１、ナット３２による固定構造）を簡略化することもできる。
なお、充填材を鋼製パイプに充填するのは、支柱１１の最終的な基礎の施工の後に、若しくはその前に行うとよい。
【００４３】
上記の要領で複数の支柱１１を、構築すべき壁面の幅方向に間隔をあけて設置した後、図２０（イ）、（ロ）に示すように、隣接する支柱１１間に壁面材１２を掛け渡し、前記壁面材１２及び支柱１１と壁面との間に図１９に示すように土砂などの裏込め材１４を裏込めすると、擁壁構造１０が構築される。
図示例の壁面材１２は、エキスパンドメタル１２ａの周囲に枠板１２ｂを溶接固定した構成であり、左右両端部を、支柱パイプ１１の左右両面に固定したアングル材２３にボルトで取り付けている。
【００４４】
上記の擁壁構造１０によれば、複数本の鋼製パイプ（支柱部材）１５を連結して支柱１１を構成するので、例えば長さ１ｍ等の標準長さの鋼製パイプを多数用意しておき、また必要に応じて異なる長さのものも若干用意しておくことで、任意の現場壁面に適した高さの擁壁構造を施工することができる。
また、支柱１１を構成する支柱部材が鋼製パイプ１５であるから、インナースリーブ１８、及び、壁面幅方向に貫通させた支柱連結ボルト２５により下段側支柱部材１５Ａと上段側支柱部材１５Ｂとを連結することができ、連結構造が簡単であり、連結作業も容易である。
これに対して、支柱部材にＨ形鋼を用いた場合、上下のＨ形鋼のフランジ前面及び背面において連結プレートを当てボルトで固定する等して連結することが可能であるが、この構造では支柱の前面及び後面に突出部が生じるので、適切でない。また、Ｈ形鋼のウエブの両側で連結する構造とすると、連結箇所が２箇所になるので複雑になり連結作業が煩雑である。しかし、上記の擁壁構造１０にはこのような問題は改善される。
また、下段側支柱部材１５Ａと上段側支柱部材１５Ｂとに嵌合させた筒状部材（インナースリーブ１８）を介して連結する構造であるから、十分に剛性の高い連結構造が実現される。
【００４５】
また、支柱１１が鋼製パイプであるから、Ｈ形鋼と異なり、アンカー１６を支柱１１の壁面幅方向中央に固定することができる。
支柱がＨ形鋼である場合は、アンカーはフランジに固定することになるので、支柱の壁面幅方向に片寄った位置に連結されることになり、支柱に回転モーメントが作用する連結構造となり適切でないが、鋼製パイプの場合にはそのような問題はない。
【００４６】
また、下段側支柱部材１５Ａと上段側支柱部材１５Ｂとが段継ぎ状に連結される構造なので、この点でも堅固な連結構造となる。
また、アンカー１６が下段側支柱部材１５Ａと上段側支柱部材１５Ｂとの連結部１７に固定されるので、アンカー頭部を支柱中間部（連結部でない箇所）に連結する場合と比較して、強度的に有利である。
また、アンカー頭部が支柱１１の内部に納まる構造となっており、外観として好ましい。
さらに、アンカー頭部を鋼製パイプの内部に固定する際にインナースリーブ１８の開口部１８ａから作業をすることができ、そして、その開口部１８ａは上段側支柱部材１５Ｂの前面管壁で覆われるので露出せず、良好な外観を確保できる。
【００４７】
また、間隔調整ボルト３３を支柱連結部１７に設けるので、上下の鋼製パイプの連結作業及び間隔調整ボルト取り付け作業を行う作業箇所が１箇所に纏められることになり、作業性が良好である。
【実施例２】
【００４８】
図１４に上記支柱１１の基礎部の一例を示す。
この支柱基礎部４１は、基礎アンカー２２と、前記基礎アンカー２２が貫通するアンカー貫通穴４２ａを中央部に有する四角形のベースプレート４２と、このベースプレート４２の傾きを調整する傾き調整手段４６と、前記ベースプレート４２上に溶接固定された基礎部用インナースリーブ４３と、前記基礎部用インナースリーブ４３に嵌合させた支柱１１の下端部を基礎部用インナースリーブ４３に固定する壁面幅方向から貫通するボルト４４と、前記ベースプレート４２の傾きを調整した状態で前記ベースプレート４２を含む支柱下端部に打設された基礎コンクリート４５とからなる。
なお、基礎部用インナースリーブ４３をベースプレート４２に溶接固定する際、壁面の傾斜に概ね合わせて、図示のように傾けて溶接する。この場合、傾き調整手段４６は微調整可能なものであればよい。
【００４９】
この実施例の傾き調整手段４６は、ベースプレート４２の四隅に設けたメネジ部４２ｂに高さ調整ボルト４７を螺合させ、かつ、ロックボルトである基礎アンカー２２の頭部のネジ部に、ベースプレート４２の上下両側でそれぞれ球面ナット４８ａ、４８ｂを螺合させ、両球面ナット４８ａ、４８ｂをベースプレート４２を挟持するように締着した構成である。
高さ調整ボルト４７を回して、ベースプレート４２の四隅の高さを調整して、ベースプレート４２の傾き、すなわち、インナースリーブ４３の傾きを調整し、支柱１１の傾きを調整する。球面ナット４８ａ、４８ｂはベースプレート４２を基礎アンカー２２に結合させた状態で、ベースプレート４２の傾き調整を可能にする。
なお、この実施例の支柱基礎部４１は、支柱１１を設置する地盤Ｇが固い岩盤である場合を想定している。
この実施例の支柱基礎部４１によれば、ベースプレート４２を含む支柱１１の下端部が基礎コンクリート４５に埋め込まれているので、支柱１１の下端部と基礎アンカー２２との結合を強固にする効果とともに、支柱下端部の防錆が図られ、また、外観的にも良好になる。
【実施例３】
【００５０】
図１５に上記支柱１１の基礎部の他の例を示す。
この支柱基礎部５１は、基礎アンカー２２と、前記基礎アンカー２２が貫通するアンカー貫通穴５２ａを中央部に有する四角形のベースプレート５２と、このベースプレート５２の傾きを調整する傾き調整手段５６と、前記ベースプレート５２上に溶接固定された基礎部用インナースリーブ５３と、前記基礎部用インナースリーブ５３に嵌合させた支柱１１の下端部を基礎部用インナースリーブ５３に固定する壁面幅方向から貫通するボルト５４と、前記ベースプレート５２の傾きを調整した状態で前記ベースプレート５２を含む支柱下端部に打設された基礎コンクリート５５とからなる。基礎コンクリート５５は、最初に打設される１次基礎コンクリート５５ａと、後に打設される２次基礎コンクリート５５ｂとからなる。
【００５１】
この実施例の傾き調整手段５６は、先に打設した１次基礎コンクリート５５ａの４箇所にホールインアンカー５９を埋め込み、各ホールインアンカー５９にねじ込んだ支持ボルト５７にベースプレート５２の四隅のボルト挿通穴５２ｂを通し、かつ、ベースプレート５２の上下両側で支持ボルト５７に高さ調整ナット５８ａ、５８ｂを螺合させ、ベースプレート５２を挟持するように両ナット５８ａ、５８ｂを締着した構成である。
この実施例では、支持ボルト５７に螺合する高さ調整ナット５８ａ、５８ｂの締着高さ位置を調整して、ベースプレート５２の四隅の高さを調整し、ベースプレート５２の傾き、すなわち、インナースリーブ５３の傾きを調整し、支柱１１の傾きを調整する。
ベースプレート５２の傾き調整をした後に、２次基礎コンクリート５５ｂをベースプレート５２を含んで打設する。
基礎アンカー２２は、１次基礎コンクリート５５ａ、ホールインアンカー５９、支持ボルト５７、ナット５８ａ、５８ｂを介してベースプレート５２と結合している。
【実施例４】
【００５２】
図１６に上記支柱１１の基礎部のさらに他の例を示す。
この支柱基礎部６１は、基礎アンカー２２と、前記基礎アンカー２２が貫通するアンカー貫通穴６２ａを中央部に有する四角形のベースプレート６２と、このベースプレート６２の傾きを調整する傾き調整手段６６と、前記ベースプレート６２上に溶接固定された基礎部用インナースリーブ６３と、前記基礎部用インナースリーブ６３に嵌合させた支柱１１の下端部を基礎部用インナースリーブ６３に固定する壁面幅方向から貫通するボルト６４と、前記ベースプレート６２の傾きを調整した状態で前記ベースプレート６２を含む支柱下端部に打設された基礎コンクリート６５とからなる。
【００５３】
この実施例の傾き調整手段６６は、傾きを調整可能なベースプレート６２とは別に、単なる固定ベースプレート７０を有する。基礎アンカー２２は、固定ベースプレート７０の中央の貫通穴６２ａを貫通し、上面側で基礎アンカー２２に螺合するナット７１を座金７２を介在させて締付けて、固定ベースプレート７０を地盤に定着固定する。
前記固定ベースプレート７０の４箇所に支持ボルト６７を垂直に溶接固定し、各支持ボルト６７をベースプレート６２の四隅のボルト挿通穴６２ｂに通し、ベースプレート６２の上下両側で支持ボルト６７に高さ調整ナット６８ａ、６８ｂを螺合させ、ベースプレート６２を挟持するように両ナット６８ａ、６８ｂを締着する。
この実施例では、支持ボルト６７に螺合する高さ調整ナット６８ａ、６８ｂの締着高さ位置を調整して、ベースプレート６２の四隅の高さを調整して、ベースプレート６２の傾き、すなわち、インナースリーブ６３の傾きを調整し、支柱１１の傾きを調整する。
ベースプレート６２の傾き調整をした後に、ベースプレート６２を含んで基礎コンクリート６５を打設する。
基礎アンカー２２は、固定ベースプレート７０、支持ボルト６７、高さ調整ナット６８ａ、６８ｂを介してベースプレート６２と結合している。
【００５４】
図１４〜図１６の各支柱基礎部の構造は、支柱下端部がインナースリーブ４３、５３、６３を介してベースプレート４２、５２，６２に固定されるので、堅固な固定構造となる。
また、上記の各基礎部構造はいずれも、基礎アンカー２２と基礎コンクリートに埋め込まれるベースプレート４２、５２，６２とを一体化させる必要性と、ベースプレート４２、５２，６２の傾きを調整可能にする必要性とを共に適切に満たし、かつ、その基礎施工の作業性が良好である。
【実施例５】
【００５５】
図１４〜図１６に示した各実施例の支柱基礎部４１、５１、６１はいずれも、ベースプレート４２、５２、６２を含む支柱下端部を基礎コンクリート４５、５５ｂ、６５に埋め込んでいるが、これらの実施例における基礎コンクリート４５、５５ｂ、６５は、基礎アンカー２２とベースプレート４２、５２、６２との結合に必須ではないので、省略することができる。
すなわち、図１７に示した支柱基礎部８１のように、図１４の支柱基礎部４１における基礎コンクリート４５がない構造とすることができる。それ以外は図１４と共通なので、詳細説明は省略する。
なお、図１７の支柱基礎部８１は、支柱１１を設置する地盤Ｇが固い岩盤である場合を想しているが、そうでない場合には、高さ調整ボルト４７を受ける基礎コンクリート８５を設けるとよい。
【実施例６】
【００５６】
ベースプレートの傾き調整手段として特別な構造を設けない場合には、図１８に示した支柱基礎部９１のように、基礎コンクリート９５を設けるとともに、ベースプレート９２に固定したベースプレート用基礎ボルト９９を基礎コンクリート９５に埋め込む構造とすることもできる。同図において、９２ａはアンカー貫通穴、９３は基礎部用インナースリーブ、９４は支柱下端部固定用のボルトである。
この実施例において、ベースプレート９２の部分のみを、あるいは、さらに支柱１１の下端部も含めて、基礎コンクリート９５内に埋め込むこともできる。
【実施例７】
【００５７】
上述の説明では、支柱１１を構成する支柱部材に角パイプを用いたが、丸パイプを用いることも可能である。その場合にはインナースリーブも丸パイプを用いる。
また、壁面材１２はエキスパンドメタルに限らず、種々の部材を用いることができる。
また、支柱１１の基礎部の構造は実施例のものに限定されず、種々の構造を採用できる。
【００５８】
上述の実施例では、連結部１７における上下の支柱部材１５Ａ、１５Ｂをインナースリーブ１８を介して連結しているが、上下の支柱部材１５Ａ、１５Ｂを連結する手段は、インナースリーブに限らず、種々の構造を採用することができる。
また、実施例では上下の支柱部材１５Ａ、１５Ｂが直接連続する外観にて連結されており、良好な外観を呈するが、連結部の構造を上下の支柱部材間に別部材（インナースリーブ、あるいは他の連結部材）が露出する態様で連結する構造とすることも可能である。
【００５９】
また、実施例では、支柱部材の連結部１７のすべてにアンカー１６が固定されているが、必ずしもすべての連結部にアンカーが固定されている必要はない。
また、実施例では支柱部材の中間部（支柱部材の連結部１７でない箇所）にはアンカーを固定していないが、支柱部材の中間部にアンカーを固定することを除外しない。
【図面の簡単な説明】
【００６０】
【図１】本発明の一実施例の擁壁構造における支柱を設置した段階の側面図である。
【図２】図１の支柱設置完了状態に到る途中段階を示す図である。
【図３】図２における支柱の連結部の部分切欠き拡大図である。
【図４】図３のＡ矢視図である。
【図５】図３のＢ矢視図（但し、アンカー、保護管、傾き調整用ボルトを断面で示す）である。
【図６】図３における下段側支柱部材とインナースリーブと上段側支柱部材とを簡略化して示した分解斜視図である。
【図７】本発明の擁壁構造を構築する際の支柱の１箇所の連結部の連結作業を説明する図であり、支柱連結作業の初期段階の要領を説明する図である。
【図８】支柱連結作業の図７に続く段階の要領を説明する図である。
【図９】支柱連結作業の図８に続く段階の要領を説明する図である。
【図１０】支柱連結作業の図９に続く段階の要領を説明する図である。
【図１１】支柱連結作業の図１０に続く段階の要領を説明する図である。
【図１２】支柱連結作業の図１１に続く段階の要領を説明する図である。
【図１３】支柱連結完了状態を示す図である。
【図１４】上記支柱の基礎部の一例を示す図である。
【図１５】上記支柱の基礎部の他の例を示す図である。
【図１６】上記支柱の基礎部のさらに他の例を示す図である。
【図１７】上記支柱の基礎部のさらに他の例を示す図である。
【図１８】上記支柱の基礎部のさらに他の例を示す図である。
【図１９】構築された擁壁構造の断面図（但し、壁面材断面は不図示）である。
【図２０】（イ）は構築された擁壁構造の要部の平面図（但し、図１９のＣ方向から見た見た図）、（ロ）は同要部正面図である。
【符号の説明】
【００６１】
１０  擁壁構造
１１  支柱
１２  壁面材
１２ａ  エキスパンドメタル
１３ｂ  枠板
１４  裏込め材
１５    支柱部材（鋼製パイプ）
１５Ａ  下段側支柱部材
１５Ｂ  上段側支柱部材
１５ａ、１５ｂ  段差部
１５ｃ  （下段側支柱の）スリット部
１５ｄ  ボルト挿通穴
１５ｅ  ボルト挿通穴
１６  アンカー
１７  支柱の連結部（支柱部材どうしの連結部）
１８  インナースリーブ
１８ａ  開口部
１８ｂ  スリット部
１８ｄ  ボルト挿通穴
１８ｅ  ボルト挿通穴
２０  壁面地盤
２１  支柱の基礎部
２２  基礎アンカー
２３  （壁面材取り付け用の）アングル材
２４  連結部用アングル材
２４ａ  ボルト挿通穴
２５  支柱連結ボルト
２６  ナット
２９  保護管
３０  アンカー頭部用間隔材
３０ａ  プレート部
３０ｂ  筒部
３０ｃ  アンカー挿通穴
３０ｄ  ボルト挿通穴
３１  ワッシャ
３２  アンカー用ナット
３３  間隔調整ボルト(間隔調整部材)
３３ａ  頭部
３５  当てプレート
３５ａ  長穴
３５ｂ  ボルト挿通穴
３７、３８  ナット
４１、５１、６１、８１、９１  支柱の基礎部
４２、５３、６２、９２  ベースプレート
４２ａ、５２ａ、６２ａ、９２ａ  アンカー貫通穴
４２ｂ  メネジ部
４３、５３、６３、９３  基礎部用インナースリーブ
４４、５４，６４、９４  ボルト
４５、５５、６５、８５、９５  基礎コンクリート
５５ａ  １次基礎コンクリート
５５ｂ  ２次基礎コンクリート
４６、５６、６６  傾き調整手段
４７  高さ調整ボルト
５７、６７  支持ボルト
４８ａ、４８ｂ  球面ナット
５８ａ、６８ａ、５８ｂ、６８ｂ  高さ調整ナット
９９  ベースプレート用基礎ボルト
【図１】
2010053631.tif 000003
【図２】
2010053631.tif 000004
【図３】
2010053631.tif 000005
【図４】
2010053631.tif 000006
【図５】
2010053631.tif 000007
【図６】
2010053631.tif 000008
【図７】
2010053631.tif 000009
【図８】
2010053631.tif 000010
【図９】
2010053631.tif 000011
【図１０】
2010053631.tif 000012
【図１１】
2010053631.tif 000013
【図１２】
2010053631.tif 000014
【図１３】
2010053631.tif 000015
【図１４】
2010053631.tif 000016
【図１５】
2010053631.tif 000017
【図１６】
2010053631.tif 000018
【図１７】
2010053631.tif 000019
【図１８】
2010053631.tif 000020
【図１９】
2010053631.tif 000021
【図２０】
2010053631.tif 000022